(57)【要約】【課題】  配送時の振動や過酷な使用環境における拡張ボードの端子部やメインボードのソケットの故障・劣化・品質低下を防止・低減することができるコンピュータ装置を提供する。【解決手段】  パネル１１及びブラケット１７ａ，１７ｂを有するケース１０と、パネル１１に固定されるメインボード２０と、メインボード２０に接続される拡張ボード３０と、パネル１１と拡張ボード３０の間に配置される第一弾性体４１とを有するコンクリート装置１において、パネル１１とブラケット１７ａ，１７ｂの間で拡張ボード３０及び第一弾性体４１を挟圧した。ブラケットブラケット１７ａ，１７ｂと拡張ボード３０の間で挟圧される第二弾性体４２ａ，４２ｂを更に有するとよい。【選択図】  図４
2019061615.tif 000002
【特許請求の範囲】
【請求項１】
パネル及びブラケットを有するケースと、
前記ケースに固定されるメインボードと、
前記メインボードに接続される拡張ボードと、
前記パネルと前記拡張ボードの間に配置される第一弾性体と
を有し、
前記パネルと前記ブラケットの間で前記拡張ボード及び前記第一弾性体を挟圧したコンピュータ装置。
【請求項２】
前記ブラケットと前記拡張ボードの間に配置される第二弾性体を更に有する請求項１のコンピュータ装置。
【請求項３】
前後方向の異なる位置に複数の前記第二弾性体を有する請求項２のコンピュータ装置。
【請求項４】
前記拡張ボードは、前記ケースに固定するための固定部と、前記第一弾性体と当接する当接部を有し、
前記拡張ボードは、前記固定部と前記当接部の間に前記メインボードに接続するための端子部を有する請求項１〜３のいずれかのコンピュータ装置。
【請求項５】
前記拡張ボードは、前記ケースに固定するための固定部と、前記第一弾性体と当接する当接部を有し、
前記ブラケットは、前記固定部と前記当接部の間に位置する請求項１〜４のいずれかのコンピュータ装置。
【請求項６】
前記拡張ボードは、前記メインボードから後方にはみ出して配置され、
前記当接部は、前記はみ出した部分に位置する請求項４又は５コンピュータ装置。
【請求項７】
前記パネルは、前記メインボードに覆われない露出部を有し、
前記第一弾性体は、前記露出部に配置される請求項１〜５のいずれかのコンピュータ装置。
【請求項８】
前記第一弾性体は、前記拡張ボードよりも幅が広く、
前記第一弾性体は、前記拡張ボードの側端部を収容する溝を有する請求項１〜７のいずれかのコンピュータ装置。
【請求項９】
パネル及びブラケットを有するケースと、
前記ケースに固定されるメインボードと、
前記メインボードに接続される拡張ボードと、
前記パネルと前記拡張ボードの間に配置される第一弾性体と
を有し、
前記拡張ボードは、前記メインボードから後方にはみ出して配置され、前記ケースに固定するための固定部と、前記はみ出した部分に位置する前記第一弾性体と当接する当接部と、前記固定部と前記当接部の間に位置する前記メインボードに接続するための端子部を有し、
前記パネルと前記ブラケットとの間で前記拡張ボード及び前記第一弾性体を挟圧したコンピュータ装置。
【請求項１０】
前記ブラケットと前記拡張ボードの間に配置される第二弾性体を更に有することを特徴とする請求項９のコンピュータ装置。
【請求項１１】
第一及び第二のブラケットを有するケースと、
前記ケースに固定されるメインボードと、
前記メインボードに接続される拡張ボードと、
前記第一のブラケットと前記拡張ボードの間に配置される第一弾性体と
を有し、
前記第一のブラケットと前記第二のブラケットの間で前記拡張ボード及び前記第一弾性体を挟圧したコンピュータ装置。
【請求項１２】
第一及び第二のブラケットを有するケースと、
前記ケースに固定されるメインボードと、
前記メインボードに接続される拡張ボードと、
前記第一ブラケットと前記拡張ボードの間に配置される第一弾性体と
を有し、
前記拡張ボードは、前記メインボードから後方にはみ出して配置され、前記ケースに固定するための固定部と、前記はみ出した部分に位置する前記第一弾性体と当接する当接部と、前記固定部と前記当接部の間に位置する前記メインボードに接続するための端子部を有し、
前記第一ブラケットと前記第二ブラケットとの間で前記拡張ボード及び前記第一弾性体を挟圧したコンピュータ装置。
【請求項１３】
前記第二ブラケットと前記拡張ボードの間に配置される第二弾性体を更に有することを特徴とする請求項１１又は１２のコンピュータ装置。
【発明の詳細な説明】
【技術分野】
【０００１】
本発明は、パーソナルコンピュータ等のコンピュータ装置、特に、メインボードに拡張ボードが接続されるコンピュータ装置に関する。
【背景技術】
【０００２】
コンピュータ装置では、メインボード（マザーボード）で実現できる機能の補完・拡張のためにグラフィックボード等の拡張ボード（拡張カード）が増設されることが多い。拡張ボードは、固定部（例えば、固定金具）と端子部を有し、固定部を本体ケースの所定部分（拡張スロットやＩ／Ｏパネル）にネジ等で固定するとともに、端子部をメインボードのソケット（例えば、ＰＣＩソケット）に差し込むことでコンピュータ装置に実装される。
【先行技術文献】
【特許文献】
【０００３】
【特許文献１】特開平７−２２１４７１号公報
【発明の概要】
【発明が解決しようとする課題】
【０００４】
近年の拡張ボードは、機能の高度化に伴う搭載部品数の増加やそれらの発熱を除去するための冷却機構の一体化等により、大型化及び／又は大重量化する傾向にある。特に、処理容量の大きいグラフィックボードでは、メインボードよりも大きいサイズや１Ｋｇを越える大重量のものも使用されている。
【０００５】
一方、コンピュータ装置には使用環境等により様々な外力が作用する。例えば、コンピュータ装置の出荷時には配送による振動や衝撃が作用し、産業用機械やゲーム装置等の可動部分に実装されるコンピュータ装置では、製品の使用期間に渡って振動や衝撃が作用する。ゲーム装置やコンサート会場などで大出力スピーカーの近くに設置されるコンピュータ装置では、音響による振動も無視できない場合がある。
【０００６】
コンピュータ装置に上記のような外力が作用すると、端子部やソケット等に磨耗や破壊等が生じ、故障や品質低下に至る場合がある。特に、大型又は大重量の拡張ボードでは、外力による端子部等への負荷が大きくなり、故障等の可能性が増大する。
【０００７】
上記状況から、配送や過酷な使用環境下での外力に対して拡張ボード、メインボード及び／又はその端子部やソケットの故障・劣化・品質低下を防止・低減することができるコンピュータ装置が求められている。
【課題を解決するための手段】
【０００８】
本願には、下記発明が開示される。
＜構成１＞
パネル及びブラケットを有するケースと、
前記ケースに固定されるメインボードと、
前記メインボードに接続される拡張ボードと、
前記パネルと前記拡張ボードの間に配置される第一弾性体と
を有し、
前記パネルと前記ブラケットの間で前記拡張ボード及び前記第一弾性体を挟圧したコンピュータ装置。
＜構成２＞
前記ブラケットと前記拡張ボードの間に配置される第二弾性体を更に有する構成１のコンピュータ装置。
＜構成３＞
前後方向の異なる位置に複数の前記第二弾性体を有する構成２のコンピュータ装置。
＜構成４＞
前記拡張ボードは、前記ケースに固定するための固定部と、前記第一弾性体と当接する当接部を有し、
前記拡張ボードは、前記固定部と前記当接部の間に前記メインボードに接続するための端子部を有する構成１〜３のいずれかのコンピュータ装置。
＜構成５＞
前記拡張ボードは、前記ケースに固定するための固定部と、前記第一弾性体と当接する当接部を有し、
前記ブラケットは、前記固定部と前記当接部の間に位置する構成１〜４のいずれかのコンピュータ装置。
＜構成６＞
前記拡張ボードは、前記メインボードから後方にはみ出して配置され、
前記当接部は、前記はみ出した部分に位置する構成４又は５コンピュータ装置。
＜構成７＞
前記パネルは、前記メインボードに覆われない露出部を有し、
前記第一弾性体は、前記露出部に配置される構成１〜５のいずれかのコンピュータ装置。
＜構成８＞
前記第一弾性体は、前記拡張ボードよりも幅が広く、
前記第一弾性体は、前記拡張ボードの側端部を収容する溝を有する構成１〜７のいずれかのコンピュータ装置。
＜構成９＞
パネル及びブラケットを有するケースと、
前記ケースに固定されるメインボードと、
前記メインボードに接続される拡張ボードと、
前記パネルと前記拡張ボードの間に配置される第一弾性体と
を有し、
前記拡張ボードは、前記メインボードから後方にはみ出して配置され、前記ケースに固定するための固定部と、前記はみ出した部分に位置する前記第一弾性体と当接する当接部と、前記固定部と前記当接部の間に位置する前記メインボードに接続するための端子部を有し、
前記パネルと前記ブラケットとの間で前記拡張ボード及び前記第一弾性体を挟圧したコンピュータ装置。
＜構成１０＞
前記ブラケットと前記拡張ボードの間に配置される第二弾性体を更に有することを特徴とする構成９のコンピュータ装置。
＜構成１１＞
第一及び第二のブラケットを有するケースと、
前記ケースに固定されるメインボードと、
前記メインボードに接続される拡張ボードと、
前記第一のブラケットと前記拡張ボードの間に配置される第一弾性体と
を有し、
前記第一のブラケットと前記第二のブラケットの間で前記拡張ボード及び前記第一弾性体を挟圧したコンピュータ装置。
＜構成１２＞
第一及び第二のブラケットを有するケースと、
前記ケースに固定されるメインボードと、
前記メインボードに接続される拡張ボードと、
前記第一ブラケットと前記拡張ボードの間に配置される第一弾性体と
を有し、
前記拡張ボードは、前記メインボードから後方にはみ出して配置され、前記ケースに固定するための固定部と、前記はみ出した部分に位置する前記第一弾性体と当接する当接部と、前記固定部と前記当接部の間に位置する前記メインボードに接続するための端子部を有し、
前記第一ブラケットと前記第二ブラケットとの間で前記拡張ボード及び前記第一弾性体を挟圧したコンピュータ装置。
＜構成１３＞
前記第二ブラケットと前記拡張ボードの間に配置される第二弾性体を更に有することを特徴とする構成１１又は１２のコンピュータ装置。
【０００９】
本願のパネルは、板状の部材を意味する。パネルの厚みや縦横比（実施形態におけるＸＹ寸法比）は問わない。ブラケットは、板状の部材でもよく。棒状の部材でもよい。パネル、ブラケットは、板金等で形成できる。パネル及びブラケットは、いずれも、ケースの外装材（外壁）でもよく、ケース内部に収容される内装材でもよい。メインボード及び拡張ボードは、電子部品等を搭載した回路基板である。第一弾性体及び第二弾性体は、ゴムでもよく、バネでもよい。
【図面の簡単な説明】
【００１０】
【図１】図１は、本発明の１実施形態のコンピュータ装置１を示す。
【図２】図２（ａ）は、中間トレイ１８及びブラケット１７ａ，１７ｂ等を取り外したコンピュータ装置１を示し、図２（ｂ）は、さらに拡張ボード３０を取り外したコンピュータ装置１を示す。
【図３】図３は、拡張ボード３０を示す。
【図４】図４は、下パネル１１、メインボード２０、ブラケット１７ａ，１７ｂ及び弾性体４１，４２ａ，４２ｂと拡張ボード３０の位置関係をＸ方向から示す。
【図５】図５は、下パネル１１、メインボード２０、ブラケット１７ｂ（１７ａ）及び弾性体４１，４２ｂ（４２ａ）と拡張ボード３０の位置関係をＹ方向から示す。
【図６】図６は、他の実施形態のコンピュータ装置１Ａを示す。
【発明を実施するための形態】
【００１１】
図１は、本発明の１実施形態のコンピュータ装置１を示す。図２（ａ）は、中間トレイ１８及びブラケット１７ａ，１７ｂ等を取り外したコンピュータ装置１を示し、図２（ｂ）は、さらに拡張ボード３０を取り外したコンピュータ装置１を示す。本明細書では、説明の便宜上、図１のＸ方向を左右方向、Ｙ方向を幅方向、Ｚ方向を上下方向というが、これら方向は、適宜変更や入替等可能である。
【００１２】
コンピュータ装置１は、ケース（例えば、ＰＣケース）１０と、メインボード２０と、拡張ボード３０と、第一弾性体４１及び第二弾性体４２ａ，４２ｂを有する。
【００１３】
ケース１０は、下パネル１１、前パネル１２、後パネル１３、横パネル１４，１５及び上パネル１６を有する。図１のように、上パネル１６は取り外しが可能とするとよい。前パネル１２は、拡張ボード３０を取り付けるための拡張スロット１２ａを有する。前パネル１２は、外部機器との接続のための各種Ｉ／Ｏポート等を有してよい。
【００１４】
ケース１０は、下パネル１１と上パネル１６の中間の所定位置にブラケット１７ａ，１７ｂを有する。本例では、前パネル１２と後パネル１３の間に中間トレイ１８が懸架され、当該中間トレイ１８と横パネル１４の間にブラケット１７ａ，１７ｂが懸架されている。各パネル１１−１６、ブラケット１７ａ，１７ｂ、中間トレイ１８は、板金等で形成できる。穴空き又は網状のパネルでもよい。概略直方体のケース１０を示したが、その形状やパネル１１−１６の枚数・形状等は適宜変更が可能である。
【００１５】
図２（ｂ）のように、メインボード２０は、下パネル１１の上に固定されている。固定は、ネジ止め等適宜の方法でよい。メインボード２０は、ＣＰＵ２１その他の電子部品を搭載した回路基板である。メインボード２０は、拡張ボード３０の端子部３１ａとの電気的接続のためのソケット（例えば、ＰＣＩソケット）２２を有する。
【００１６】
メインボード２０のサイズや設置個所は通常規格化されている。本例では、メインボード２０は、下パネル１１よりもサイズが小さく、下パネル１１の前パネル１２側の位置に固定されている。よって、下パネル１１は、メインボード２０の後方側にメインボード２０で覆われない露出部１１ａを有する。
【００１７】
拡張ボード３０は、メインボード２０上に取り付けられている。図３は、拡張ボード３０を示す。拡張ボード３０は、各種電子部品を搭載した回路基板３１と固定部３２を有する。拡張ボード３０は、側端部にメインボード２０との電気的接続のための端子部３１ａを有する。端子部３１ａは、メインボード２０と拡張ボード３０の機械的接続も提供し得る。固定部３２は、拡張ボード３０の前方端に位置し、ケース１０の拡張スロット１２ａにネジ等で固定するためのネジ穴３２ａを有する。他の方法で固定してもよい。固定部３２は、外部機器との接続のための各種Ｉ／Ｏポート３２ｂを有し得る。固定部３２は、金属等で形成できる。
【００１８】
好ましい実施形態では、拡張ボード３０は、グラフィックボードである。本例の拡張ボード３０は、回路基板３１やこれに搭載された電子部品を冷却するファン３３等が樹脂カバー３４で覆われたパッケージタイプである。
【００１９】
図４，５は、下パネル１１、メインボード２０、ブラケット１７ａ，１７ｂ及び第一、第二弾性体４１，４２ａ，４２ｂと拡張ボード３０の位置関係を示す。
【００２０】
第一弾性体４１は、下パネル１１と拡張ボード３０の間に配置される。図４のように、第一弾性体４１は、露出部１１ａに配置することが好ましい。本例の拡張ボード３０の前後方向寸法は、メインボード２０より長い。そのため、拡張ボード３０の後方側がメインボード２０からはみ出しており、拡張ボード３０が第一弾性体４１に当接する当接部３５は、当該はみ出した部分に位置している。拡張ボード３０の後端と第一弾性体４１の後端は一致させることが好ましい。
【００２１】
第二弾性体４２ａ，４２ｂは、拡張ボード３０とブラケット１７ａ，１７ｂの間に配置される。ブラケット１７ａ，１７ｂ及び／又は第二弾性体４２ａ，４２ｂ及び／又は端子部３１ａは、前後方向における固定部３２と当接部３５の間の位置に配置するのが良い。
【００２２】
図５に示すように、第一、第二弾性体４１，４２ｂ（４２ａ）の幅方向の中心と回路基板３１の幅方向の中心と一致させるとよい。
【００２３】
第一、第二弾性体４１，４２ａ，４２ｂは、クロロプレンゴム、ウレタンゴム等のゴムで形成できる。第一、第二弾性体４１，４２ａ，４２ｂは、例えば、直方体状である。第一弾性体４１及び／又は第二弾性体４２ａ，４２ｂは、バネでもよい。粘着テープ等を用いて第一弾性体４１を下パネル１１に予め固定し、及び／又は、第二弾性体４２ａ，４２ｂをブラケット１７ａ，１７ｂに予め固定しておくと、組立作業を容易化し得る。１つの第一弾性体４１を示すが、２つ以上でもよい。２つの第二弾性体４２ａ，４２ｂを示すが、１つ若しくは３つ以上でもよい。２つ以上の第一弾性体、２つ以上の第二弾性体は、前後方向及び／又は幅方向の異なる位置に配置するとよい。
【００２４】
端子部３１ａをソケット２２に挿入し、固定部３２を拡張スロット１２ａに固定し、上記位置関係にて第一、第二弾性体４１，４２ａ，４２ｂを配置した上でブラケット１７ａ，１７ｂを横パネル１４及び中間トレイ１８にネジ締め等で固定することで、拡張ボード３０、第一弾性体４１及び第二弾性体４２ａ，４２ｂが下パネル１１とブラケット１７ａ，１７ｂの間で挟圧される。
【００２５】
コンピュータ装置１では、上記のように拡張ボード３０と第一、第二弾性体４１，４２ａ，４２ｂを下パネル１１とブラケット１７ａ，１７ｂの間で挟圧したことで、コンピュータ装置１に振動や加速度が作用した場合でも、端子部３１ａ及び／又はソケット２２への負荷及び／又はこれらの磨耗が軽減され、故障・劣化等が防止又は抑制できる。出願人は、コンピュータ装置１の加速度信頼性試験を実施し、製品寿命が顕著に延長されることを確認している。第二弾性体４２ａ及び／又は４２ｂは省略しても、コンピュータ装置１に準じる効果が達成できる。
【００２６】
前後方向の異なる位置に複数のブラケット１７ａ，１７ｂ及び／又は複数の第二弾性体４２ａ，４２ｂを配置したこと、及び／又は、固定部３２と当接部３５の中間に端子部３１ａを配置したこと、及び／又は、固定部３２と当接部３５の中間にブラケット１７ａ，１７ｂ及び／又は第二弾性体４２ａ，４２ｂを配置したことにより、端子部３１ａ及び／又はソケット２２に加わる負荷及び／又はその磨耗の軽減効果が向上する。第一弾性体４１を露出部１１ａに配置し、及び／又は、拡張ボード３０がメインボード２０からはみ出した部分に当接部３５を位置させたことにより、メインボード２０上での部品配置に制約が生じず、及び／又は、メインボード２０よりも大きいサイズの拡張ボード３０に対応可能になる。
【００２７】
上記実施形態では、外装材（外壁）である下パネル１１と内装材であるブラケット１７ａ，１７ｂの間で拡張ボード３０と第一弾性体４１（及び第二弾性体４２ａ，４２ｂ）を挟圧したが、外装材と外装材（例えば、下パネル１１と上パネル１６）の間、あるいは、内装材と内装材の間で挟圧してもよい。例えば、下パネル１１と第一弾性体４１の間に第一のブラケットを追加的に設け、当該第一のブラケットと第二のブラケット（ブラケット１７ａ，１７ｂ）の間で拡張ボード３０と第一弾性体４１を挟圧することも可能である。
【００２８】
図６は、他の実施形態のコンピュータ装置１ＡをＹ方向から示す。コンピュータ装置１Ａでは、第一弾性体４１Ａ及び／又は第二弾性体４２Ａの幅寸法が、拡張ボード３０の幅寸法より大きい。コンピュータ装置１Ａでは、第一弾性体４１Ａ及び／又は第二弾性体４２Ａの位置決めが容易化され、及び／又は、拡張ボード３０の均等な挟圧が確実になる。コンピュータ装置１Ａでは、第一弾性体４１Ａ及び／又は第二弾性体４２Ａの幅方向の中心と拡張ボード３０の幅方向の中心を一致させるとよい。第一弾性体４１Ａ及び／又は第二弾性体４２Ａが拡張ボード３０の下／上の側端部を収容する溝４３，４４を有すると、拡張ボード３０の挟圧をさらに確実にできる。
【００２９】
上記実施形態に記載したコンピュータ装置１やその要素の寸法、形状、配置、個数、材料等は例示であり、他の態様も可能である。
【符号の説明】
【００３０】
１，１Ａ・・・コンピュータ装置
１０ ケース
１１ 下パネル
１１ａ 露出部
１２ 前パネル
１２ａ 拡張スロット
１３ 後パネル
１４，１５ 横パネル
１６ 上パネル
１７ａ，１７ｂ ブラケット
１８ 中間トレイ
２０ メインボード
２１ ＣＰＵ
２２ ソケット
３０ 拡張ボード
３１ 回路基板
３１ａ 端子部
３２ 固定部
３２ａ ネジ穴
３２ｂ Ｉ／Ｏポート
３３ ファン
３４ 樹脂カバー
３５ 当接部
４１，４１Ａ 第一弾性体
４２ａ，４２ｂ，４２Ａ 第二弾性体
４３，４４ 溝
【図１】
2019061615.tif 000003
【図２】
2019061615.tif 000004
【図３】
2019061615.tif 000005
【図４】
2019061615.tif 000006
【図５】
2019061615.tif 000007
【図６】
2019061615.tif 000008
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
パネル及びブラケットを有するケースと、
前記ケースに固定されるメインボードと、
前記メインボードに接続される拡張ボードと、
前記パネルと前記拡張ボードの間に配置され、前記パネルに接着される第一弾性体と
を有し、
前記パネルは、前記ケースの外壁であり、
前記拡張ボードは、前記メインボードから後方にはみ出して配置され、前記ケースに固定するための固定部と、前記はみ出した部分に位置する前記第一弾性体と当接する当接部と、前記固定部と前記当接部の間に位置する前記メインボードに接続するための端子部を有し、
前記メインボードは、前記パネルの上にパネルに平行に配置され、
前記拡張ボードは、前記メインボード及び前記第一弾性体の上に配置され、
前記ブラケットは、前記拡張ボードの上に配置され、
前記端子部は、前記拡張ボードの下側に位置し、
前記メインボードは、上面にソケットを有し、
前記端子部を前記ソケットに挿入することで前記拡張ボードが前記メインボードに接続され、
前記パネルと前記ブラケットとの間で前記拡張ボード及び前記第一弾性体を挟圧したコンピュータ装置。
【請求項２】
前記第一弾性体の前記拡張ボード側の面が、溝を有さない平面であることを特徴とする請求項１のコンピュータ装置。
【請求項３】
前記第一弾性体は、前記パネルに対して、粘着テープで固定されることを特徴とする請求項１又は２のコンピュータ装置。
【請求項４】
前記第一弾性体は、クロロプレンゴムで形成されていることを特徴とする請求項１〜3のいずれかのコンピュータ装置。
【請求項５】
前記第一弾性体は、ウレタンゴムで形成されていることを特徴とする請求項１〜３のいずれかのコンピュータ装置。
【請求項６】
前記ブラケットと前記拡張ボードの間に配置される第二弾性体を更に有することを特徴とする請求項１〜５のいずれかのコンピュータ装置。
【請求項７】
前後方向の異なる位置に複数の前記第二弾性体を有する請求項１〜６のいずれかのコンピュータ装置。
【請求項８】
前記ブラケットは、前記固定部と前記当接部の間に位置する請求項１〜７のいずれかのコンピュータ装置。
【請求項９】
前記パネルは、前記メインボードに覆われない露出部を有し、
前記第一弾性体は、前記露出部に配置される請求項８のコンピュータ装置。
【手続補正書】
【提出日】平成30年1月25日(2018.1.25)
【手続補正１】
【補正対象書類名】特許請求の範囲
【補正対象項目名】請求項７
【補正方法】変更
【補正の内容】
【請求項７】
前後方向の異なる位置に複数の前記第二弾性体を有する請求項６のコンピュータ装置。